(57)【要約】      （修正有）【課題】休憩などのインターバルを取りやすいものにするため、１０分以下の所定時間の計測を容易に行うことができるアナログ時計を提供する。【解決手段】円周方向に沿って１２等分に分割されその分割された各領域が１分の間隔を示す時計用文字盤１において、１２分割された部分の径方向外方に位置する各分割点２のうちから任意に選択された１つの分割点２ａをスタート地点とし、該スタート地点に対して時計回り方向側に隣接する分割点２ｂから、時計回り方向に沿って各分割点２ｃ〜２ｋに１から１０以下の所定の数字を順次表記すると共に表記された最大数字の分割点２ｋとスタート地点２ａの間にインターバルの領域を設ける。【選択図】図１
0003153250.tif 000002
【実用新案登録請求の範囲】
【請求項１】
円周方向に沿って１２等分に分割されその分割された各領域が１分の間隔を示す時計用文字盤において、
上記１２分割された部分の径方向外方に位置する各分割点のうちから任意に選択された１つの上記分割点をスタート地点とし、該スタート地点に対して時計回り方向側に隣接する上記分割点から、時計回り方向に沿って上記各分割点に１から１０以下の所定の数字を順次表記すると共に表記された最大数字の分割点と上記スタート地点の間にインターバルの領域を設けたことを特徴とする時計用文字盤。
【請求項２】
請求項１記載の時計用文字盤において、
前記スタート地点に隣接する前記分割点から、時計回り方向に沿って前記各分割点に１から１０の数字を順次表記し、前記スタート地点と数字の１０が表記されている前記分割点との間に存在する前記分割点に数字を付さないようにし、数字の１０が表記されている前記分割点と前記スタート地点の間を前記インターバルの領域としたことを特徴とする時計用文字盤。
【請求項３】
請求項２記載の時計用文字盤において、
前記時計用文字盤における鉛直上方に位置する前記分割点もしくは該鉛直上方の前記分割点に対して時計回り方向において隣接する前記分割点を、前記スタート地点とすることを特徴とする時計用文字盤。
【請求項４】
請求項１または２記載の時計用文字盤において、
前記スタート地点に、数字のゼロもしくはスタートを意味する文字が表記されていることを特徴とする時計用文字盤。
【請求項５】
請求項１記載の時計用文字盤において、
前記１２分割された部分の径方向外方に位置する前記各分割点のうちから対称位置に存在する２つの前記分割点を前記スタート地点として任意に選択し、該選択された２つのスタート地点に対して時計回り方向側に隣接する前記分割点から、時計回り方向に沿って前記各分割点に１から５の数字を順次表記し、前記各スタート地点と数字の５が表記されている前記各分割点との間の領域をインターバル領域としたことを特徴とする時計用文字盤。
【請求項６】
請求項１記載の時計用文字盤において、
前記１２分割された部分の径方向外方に位置する前記各分割点のうちから周方向に沿って３等分される位置の前記分割点を前記スタート地点として任意に選択し、該選択された３つのスタート地点に対して時計回り方向側に隣接する前記分割点から、時計回り方向に沿って前記各分割点に１から３の数字を順位表記し、前記各スタート地点と数字の３が表記されている前記各分割点との間の領域をインターバル領域としたことを特徴とする時計用文字盤。
【請求項７】
請求項１から６のいずれか１項記載の時計用文字盤を有するアナログ時計。
【考案の詳細な説明】
【技術分野】
【０００１】
本考案は、時計用文字盤およびアナログ時計に関する。
【背景技術】
【０００２】
従来から、時計用文字盤として、鉛直上方に数字の１２が表記され、当該鉛直上方部分から時計回り方向に沿って１から１１の数字が順次表記されているものが知られている。他では、時計用文字盤の上下左右に４分割された位置に、鉛直上方から時計回り方向に沿って１２，３，６および９の数字が表記されているものが知られている（特許文献１参照）。
【先行技術文献】
【特許文献】
【０００３】
【特許文献１】特開２００３−１６７０６７号公報（要約書）
【考案の概要】
【考案が解決しようとする課題】
【０００４】
特許文献１に開示されている時計用文字盤や一時的な掛け時計では、数字の１２，３，６，９または１から１２が時計方向に沿って順次表記されている。このため、特許文献１に開示されている時計用文字盤を用いて、例えば、ストレッチ等の運動時間やサウナ風呂等への入浴時間を計測する場合、６分と７分の区別など分の違いの区別がしづらくなる。また、仮に、特許文献１などに開示されている文字盤を利用して１２分計を作った場合、ユーザは１２分間という通常の間隔とは異なる単位を１つのサイクルとして認識しなければならない。その結果、ユーザは運動時間や入浴時間を認識しづらいものとなる。
【０００５】
本考案は、かかる問題に鑑みてなされたものであり、その目的とするところは、１０分以下の所定時間の計測を容易に行うことが可能であると共に休憩などのインターバルを取りやすくできる時計用文字盤およびアナログ時計を提供しようとするものである。
【課題を解決するための手段】
【０００６】
上記課題を解決するために、考案明の一側面は、円周方向に沿って１２等分に分割されその分割された各領域が１分の間隔を示す時計用文字盤において、１２分割された部分の径方向外方に位置する各分割点のうちから任意に選択された１つの分割点をスタート地点とし、該スタート地点に対して時計回り方向側に隣接する分割点から、時計回り方向に沿って各分割点に１から１０以下の所定の数字を順次表記すると共に表記された最大数字の分割点とスタート地点の間にインターバルの領域を設けたものである。
【０００７】
また、スタート地点に隣接する分割点から、時計回り方向に沿って各分割点に１から１０の数字を順次表記し、スタート地点と数字の１０が表記されている分割点との間に存在する分割点に数字を付さないようにし、数字の１０が表記されている分割点とスタート地点の間をインターバルの領域とするのが好ましい。
【０００８】
また、時計用文字盤における鉛直上方に位置する分割点もしくは該鉛直上方の分割点に対して時計回り方向において隣接する分割点を、スタート地点とするのが好ましい。
【０００９】
また、スタート地点に、数字のゼロもしくはスタートを意味する文字を表記するのが好ましい。
【００１０】
また、１２分割された部分の径方向外方に位置する各分割点のうちから対称位置に存在する２つの分割点をスタート地点として任意に選択し、該選択された２つのスタート地点に対して時計回り方向側に隣接する分割点から、時計回り方向に沿って各分割点に１から５の数字を順次表記し、各スタート地点と数字の５が表記されている各分割点との間の領域をインターバル領域とするのが好ましい。
【００１１】
また、１２分割された部分の径方向外方に位置する各分割点のうちから周方向に沿って３等分される位置の分割点をスタート地点として任意に選択し、該選択された３つのスタート地点に対して時計回り方向側に隣接する分割点から、時計回り方向に沿って各分割点に１から３の数字を順位表記し、各スタート地点と数字の３が表記されている各分割点との間の領域をインターバル領域とするのが好ましい。
【００１２】
また、時計用文字盤を有するアナログ時計とするのが好ましい。
【考案の効果】
【００１３】
本考案によると、１０分以下の所定時間の計測を容易に行うことが可能になると共に休憩などのインターバルを取りやすいものになる。
【図面の簡単な説明】
【００１４】
【図１】本考案の第１の実施の形態に係る１０分用の時計用文字盤をアナログ時計に装着した状態を示す正面図である。
【図２】本考案の２実施の形態に係る１０分用の時計用文字盤をアナログ時計に装着した状態を示す正面図である。
【図３】本考案の第３の実施の形態に係る５分用の時計用文字盤をアナログ時計に装着した状態を示す正面図である。
【図４】本考案の第４の実施の形態に係る３分用の時計用文字盤をアナログ時計に装着した状態を示す正面図である。
【図５】本考案の変形例を示す図であり、３分用の時計用文字盤を装着したアナログ時計と、一般の１２時間用のアナログ時計を併用した状態を示す図である。
【図６】本考案の変形例を示す図であり、１０分用の時計用文字盤を装着したアナログ時計と、５分用の時計用文字盤を装着したアナログ時計を併用した状態を示す図である。
【考案を実施するための形態】
【００１５】
（第１の実施の形態）
以下、本考案の第１の実施の形態に係る時計用文字盤１について、図１を参照しながら説明する。
【００１６】
図１に示すように、時計用文字盤１は、略円盤状の形態を有する板状体である。時計用文字盤１の径方向外周部には円周を１２等分した位置の通常は「１２」の位置に「０」を配置し、通常は「１」から「１０」が配置される箇所に同じように「１」から「１０」を配置している。しかし、通常は「１１」が配置される位置には、「１１」が配置されず点のみが表記されている。また、図１に示すように、時計用文字盤１は、分針である短針１１が１２分間で一周する１２分用のアナログ時計１０の表面に装着される。また、０から１０の数字のみが表記されている時計用文字盤１を用いることで、特に、１０分単位の時間の計測が容易となる。この時計用文字盤１は、たとえば、ストレッチ等の運動時間の計測やサウナ風呂における入浴時間の計測等に用いることができる。
【００１７】
具体的には、時計用文字盤１には、図１に示すように、０から１０の数字が、時計用文字盤１の外周部に表記されている。より具体的には、０から１０の数字は、時計用文字盤１を周方向に沿って１２等分に分割し、その径方向外周部となる複数の分割点２（２ａ〜２ｍ）に表記されている。時計用文字盤１における鉛直上方の分割点２ａには数字の０が表記され、該分割点２ａを時間の計測を開始するためのスタート地点として使用することができる。また、分割点２ａから時計の回転方向に沿って存在する各分割点２ｂ〜２ｋには、それぞれ１から１０の数字が順次表記されている。
【００１８】
また、この第１の実施の形態では、数字の０が表記されている分割点２ａと数字の１０が表記されている分割点２ｋとの間の位置となる分割点２ｍには数字は表記されておらず、当該部分には点（ドット）が表記されている。すなわち、時計用文字盤１は、一般的な１２分用の時計の文字盤において、数字の１２が表記されている部分を数字の０と表記し、数字の１１が表記されている部分をドットに変更した文字盤となっている。さらに、時計用文字盤１の外周は、１２分割され１つおきに同じ色とされている。すなわち、分割点２ａ〜２ｂの間、分割点２ｃ〜２ｄの間、分割点２ｅ〜２ｆの間、分割点２ｇ〜２ｈの間、分割点２ｉ〜２ｊの間、分割点２ｋ〜２ｍの間の各外周領域は１つの特定の色、たとえば赤色とされ、その特定の色と色との間の領域は他の特定の色、たとえば、白色とされている。
【００１９】
上述したように、時計用文字盤１は、１２分用のアナログ時計１０の表面に装着される。このため、上述したアナログ時計１０の短針１１と長針１２は、時計用文字盤１の表面に露出している。短針１１は、１分単位で各分割点２ａ〜２ｍ間を移動し、すなわち１２分間で時計用文字盤１上を一周する。一方、長針１２は、秒針となっており１秒単位で各分割点２ａ〜２ｍ間を移動し、すなわち１２秒間で時計用文字盤１上を一周する。なお、短針１１の外周領域１１ａは内周領域１１ｂとは異なる色とし、目立ちやすくしている。また、短針１１は中心点３から先端に伸びる縦断線１１ｃが表記され、短針１１の指示先を分かりやすくしている。さらに、長針１２は細長の直線状に形成され、該長針１２の指示先を分かりやすくしている。
【００２０】
本実施の形態に係る時計用文字盤１は、１０分単位の時間を計測しやすくするものであるため、時計用文字盤１の中心点３の下方には、図１に示すように、たとえば、「１０分計」と記載された表示部４が設けられている。また、図１に示すように、表示部４の下方には、たとえば、時計用文字盤１の用途を表記したり、会社名等の広告を表記したりすることが可能な宣伝表示部５が設けられている。これら表示部４および／または宣伝表示部５は時計用文字盤１のデザインや時計用文字盤１の使用目的に応じて適宜設けるようにすることが可能である。
【００２１】
また、分割点２ｋと分割点２ａとの間で分割点２ｍを含む領域は、たとえば、インターバルの領域として使用することができる。具体的には、短針１１が１０分を示す分割点２ｋを経過した後、スタート地点となる分割点２ａに到達するまでの２分間をインターバルとして使用することが可能となる。
【００２２】
以上のように構成された時計用文字盤１では、スタート地点となる分割点２ａから時計回り方向に沿って０〜１０の数字が順次表記されている。このため、１０分単位で時間を把握しやすくなり、経過した時間を容易に計測することが可能となる。したがって、たとえば、短針１１が、数字の０が表記された分割点２ａを指している時点で、ストレッチやサウナ風呂への入浴を開始した場合、１０分間の時間の計測に限らず、１０分以下の運動時間や入浴時間の計測も容易に行うことができる。また、短針１１が、数字の１や２が表記された分割点２ｂや分割点２ｃを指している時点で、運動や入浴を開始したとしても、１０分単位で時間を把握できるため、経過時間を容易に計測することが可能となる。
【００２３】
また、時計用文字盤１では、分割点２ｋと分割点２ａとの間の領域には数字がないため、インターバルの領域として使用する誘因が働き、休憩を促すことができ、頑張り過ぎを防ぐことができる。すなわち、１０分等の所定時間の経過後に、インターバルを取りやすくなり、再度、「０」から運動や入浴を行うこととなる。
【００２４】
（第２の実施の形態）
以下、本考案の第２の実施の形態に係る時計用文字盤２０について、図２を参照しながら説明する。なお、第２の実施の形態に係る時計用文字盤２０において、第１の実施の形態と共通する部分については、同一の符号を付すと共にその説明を省略または簡略化する。
【００２５】
図２に示すように、第２の実施の形態に係る時計用文字盤２０は、第１の実施の形態の場合と同様、略円盤状の形態を有する文字盤である。時計用文字盤２０は周方向に沿って１２等分に分割されている。また、該時計用文字盤２０は、第１の実施の形態と同様、鉛直上方の位置から周方向に沿って分割点２ａ〜２ｍを有している。
【００２６】
この第２の実施の形態では、図２に示すように、分割点２ｃに数字の０が表記され、時計の回転方向に沿って、各分割点２ｄ〜２ａに数字の１〜１０が順次表記されている。このように、０から１０の数字のみを時計用文字盤２０に表記することで、特に、１０分単位の時間の計測を容易に行うことが可能となる。本実施の形態では、分割点２ｃすなわち「０」の表示位置が計測のスタート地点となり、時計用文字盤２０の鉛直上方の位置となる分割点２ａすなわち「１０」の表示位置が計測の終了地点となる。
【００２７】
また、数字の１０が表記されている分割点２ａと数字の０が表記されている分割点２ｃとの間の分割点２ｂには数字は表記されていない。本実施の形態では、分割点２ａと分割点２ｃとの間の領域が、たとえば、インターバルの領域として使用される。本実施の形態では、中心点３と、分割点２ａと、分割点２ｃとで囲まれる略扇状の領域には他の領域（図２で斜線で示す領域）と異なる色彩が施されており、その外周部分には「おやすみタイム」と表記されている。このため、分割点２ａと分割点２ｃとの間の領域は、インターバルの領域として認識しやすくなっている。なお、時計用文字盤２０の外周領域中「おやすみタイム」として表示されている部分を、それ以外の部分の領域と色分けしたり、「０」から「１０」の外周領域を第１の実施の形態のように交互となる色分けとしても良い。
【００２８】
以上のように構成された時計用文字盤２０では、スタート地点となる分割点２ｃから時計回り方向に沿って０〜１０の数字が順次表記されている。このため、１０分単位で時間を把握しやすくなり、経過した時間を容易に計測することが可能となる。したがって、たとえば、短針１１が、数字の０が表記された分割点２ｃを指している時点で、ストレッチやサウナ風呂への入浴を開始した場合、１０分間の時間の計測に限らず、１０分以下の運動時間や入浴時間の計測も容易に行うことができる。また、短針１１が、数字の１や２が表記された分割点２ｄや分割点２ｅを指している時点で、運動や入浴を開始したとしても、１０分単位で時間を把握できるため、経過時間を容易に計測することが可能となる。
【００２９】
また、時計用文字盤２０では、分割点２ａと分割点２ｃとの間の領域をインターバルの領域として使用することができるため、休憩をとりやすくなる。すなわち、１０分等の所定時間の経過後、インターバルを取り、再度、運動時間や入浴時間の計測を行うことができる。なお、短針１１は、先の第１の実施の形態の外周領域１１ａと内周領域１１ｂのように領域の色分けがなされていないが、同じように色分けしても良い。また、縦断線１１ｃの両側を違う色としても良い。
【００３０】
（第３の実施の形態）
以下、本考案の第３の実施の形態に係る時計用文字盤３０について、図３を参照しながら説明する。なお、第３の実施の形態に係る時計用文字盤３０において、第１および第２の実施の形態と共通する部分については、同一の符号を付すと共にその説明を省略または簡略化する。
【００３１】
図３に示すように、第３の実施の形態に係る時計用文字盤３０は、第１および第２の実施の形態の場合と同様、略円盤状の形態を有する文字盤である。時計用文字盤３０は周方向に沿って１２等分に分割されている。また、該時計用文字盤３０は、第１および第２の実施の形態と同様、鉛直上方の位置から周方向に沿って分割点２ａ〜２ｍを有している。
【００３２】
この第３の実施の形態では、図３に示すように、時計回り方向に沿って０〜５の数字が順次繰り返して２回表記されている。具体的には、時計回り方向に沿って、分割点２ｂ〜２ｇに数字の０〜５が順次表記されると共に、分割点２ｈ〜２ａに数字の０〜５が順次表記されている。このように、０〜５の数字のみを時計用文字盤３０に表記することで、特に、５分単位の時間の計測を容易に行うことが可能となる。また、時計用文字盤３０には、０〜５の数字が時計方向に沿って２回繰り返して表記されているため、短針１１が時計用文字盤３０を一周する間に５分単位の時間を２回計測することが可能となる。本実施の形態では、分割点２ｂおよび２ｈの位置がそれぞれ計測のスタート地点となり、分割点２ｇおよび２ａの位置がそれぞれ計測の終了地点となる。
【００３３】
この第３の実施の形態では、分割点２ｇと分割点２ｈとの間の領域、および分割点２ａと分割点２ｂとの間の領域が、たとえば、インターバルの領域として使用される。また、本実施の形態では、中心点３と、分割点２ａと、分割点２ｂとで囲まれる略扇状の領域、および中心点３と、分割点２ｇと、分割点２ｈとで囲まれる略扇状の領域には他の領域と異なる色彩が施されており、それらの外周部分には「おやすみタイム」と表記されている。このため、分割点２ｇと分割点２ｈとの間の領域、および分割点２ａと分割点２ｂとの間の領域は、インターバルの領域として認識しやすくなっている。したがって、短針１１が時計用文字盤３０を一周する間に１分間のインターバルを挟んで、５分間の時間を２回計測することが可能となる。なお、時計用文字盤３０の外周領域を第１の実施の形態のように交互に色分けしたり、短針１１を第１の実施の形態のように色分けしたり、縦断線１１ｃの両側の色を異ならせるようにしても良い。
【００３４】
以上のように構成された時計用文字盤３０では、スタート地点となる分割点２ｂおよび分割点２ｈのそれぞれから時計回り方向に沿って０〜５の数字が順次表記されている。このため、５分単位の時間を２回計測することが可能となる。また、５分以下の時間を計測することも可能であるため、５分以下の短い時間の経過を容易に把握することができる。したがって、たとえば、短針１１が、数字の０が表記された分割点２ｂまたは分割点２ｈを指している時点で、ストレッチやサウナ風呂への入浴を開始した場合、５分以下の運動時間や入浴時間を容易に把握することができる。また、たとえば、短針１１が、数字の１が表記された分割点２ｃを指している時点で、運動や入浴を開始したとしても、短針１１が分割点２ｈを指した時点を把握することで５分間の時間を計測することができる。さらに、たとえば、短針１１が、数字の１もしくは２が表記された分割点２ｃもしくは分割点２ｄを指している時点で、運動や入浴を開始した場合、５分間以下の時間も容易に計測することができる。
【００３５】
また、時計用文字盤３０では、分割点２ａと分割点２ｂとの間の領域、および分割点２ｇと分割点２ｈとの間の領域をインターバルの領域として使用することができるため、短針１１が時計用文字盤３０を一周する間に、５分間の運動や入浴を、インターバルを挟んで２回計測することができる。また、休憩を取りやすいものとなる。
【００３６】
（第４の実施の形態）
以下、本考案の第４の実施の形態に係る時計用文字盤４０について、図４を参照しながら説明する。なお、第４の実施の形態に係る時計用文字盤４０において、第１、第２および第３の実施の形態と共通する部分については、同一の符号を付すと共にその説明を省略または簡略化する。
【００３７】
図４に示すように、第４の実施の形態に係る時計用文字盤４０は、第１、第２および第３の実施の形態の場合と同様、略円盤状の形態を有する文字盤である。時計用文字盤４０は周方向に沿って１２等分に分割されている。また、該時計用文字盤４０は、第１、第２および第３の実施の形態と同様、鉛直上方の位置から周方向に沿って分割点２ａ〜２ｍを有している。
【００３８】
この第４の実施の形態では、図４に示すように、時計回り方向に沿って０〜３の数字が順次繰り返して３回表記されている。具体的には、時計回り方向に沿って、分割点２ｂ〜２ｅ、２ｆ〜２ｉおよび２ｊ〜２ａの３つの領域に数字の０〜３が順次表記されている。このように、０〜３の数字のみを時計用文字盤４０に表記することで、特に、３分単位の時間の計測を容易に行うことが可能となる。また、時計用文字盤４０には、０〜３の数字が時計方向に沿って３回繰り返して表記されているため、短針１１が時計用文字盤４０を一周する間に３分単位の時間を３回計測することが可能となる。本実施の形態では、分割点２ｂ，２ｆおよび２ｊの位置がそれぞれ計測のスタート地点となり、分割点２ｅ，２ｉおよび２ａの位置がそれぞれ計測の終了地点となる。
【００３９】
この第４の実施の形態では、分割点２ｅと分割点２ｆとの間の領域、分割点２ｉと分割点２ｊとの間の領域および分割点２ａと分割点２ｂとの間の領域が、たとえば、インターバルの領域として使用される。また、本実施の形態では、中心点３と、分割点２ｅと、分割点２ｆとで囲まれる略扇状の領域、中心点３と、分割点２ｉと、分割点２ｊとで囲まれる略扇状の領域および中心点３と、分割点２ａと、分割点２ｂとで囲まれる略扇状の領域には他の領域と異なる色彩が施されており、これらの外周部分には「おやすみタイム」と表記されている。このため、分割点２ｅと分割点２ｆとの間の領域、分割点２ｉと分割点２ｊとの間の領域および分割点２ａと分割点２ｂとの間の領域は、インターバルの領域として認識しやすくなっている。したがって、短針１１が時計用文字盤４０を一周する間に１分間のインターバルを挟んで３分間の時間を３回計測することが可能となる。なお、時計用文字盤４０の外周領域を第１の実施の形態のように交互に色分けしたり、短針１１を第１の実施の形態のように色分けしたり、縦断線１１ｃの両側の色を異ならせるようにしても良い。
【００４０】
以上のように構成された時計用文字盤４０では、スタート地点となる分割点２ｂ，２ｆおよび２ｊのそれぞれから時計回り方向に沿って０〜３の数字が順次表記されている。このため、３分単位の時間を３回計測することが可能となる。したがって、短針１１が、数字の０が表記された分割点２ｂ，２ｆもしくは２ｊを指している時点で、ストレッチやサウナ風呂への入浴を開始した場合、運動や入浴において３分間経過した時点を容易に把握することができる。また、休憩が取りやすいものとなる。
【００４１】
また、時計用文字盤４０では、分割点２ａと分割点２ｂ、分割点２ｅと分割点２ｆおよび分割点２ｉと分割点２ｊとの間のそれぞれの領域をインターバルの領域として使用することができるため、短針１１が一周する間に、３分間の運動や入浴をインターバルを挟んで３回計測することができる。また、休憩が取りやすいものとなる。
【００４２】
以上、本考案の一実施の形態について説明したが、本考案は上述の形態に限定されることなく、種々変形した形態にて実施可能である。
【００４３】
上述の各実施の形態では、時計用文字盤１，２０，３０，４０は、円形の形態を有する文字盤とされているが、時計用文字盤１，２０，３０，４０の形態は円形に限定されるものではなく、たとえば、四角形や六角形の形態とし、四角形や六角形の形状を有するアナログ時計に適用するようにしても良い。
【００４４】
また、図５に示すように、普通の１２時間用の時計の下に、時計用文字盤１，２０，３０，４０のいずれか１つを有する時計、たとえば、３分用の時計用文字盤４０を装着したアナログ時計を配置させるようにしても良い。また、１０分用または５分用などの時計と１２時間用の時計とを併用するようにしても良い。また、普通の時計の上または横に時計用文字盤１，２０，３０，４０のいずれかを有する時計を配置するようにしても良い。また、図６に示すように、１０分用の時計用文字盤２０を装着したアナログ時計と、５分用の時計用文字盤３０を装着したアナログ時計とを隣接して位置させて両者を併用するようにしても良い。さらに、１０分用と５分用とに限らず、たとえば、５分用の時計用文字盤３０を装着したアナログ時計と、３分用の時計用文字盤４０を装着したアナログ時計とを併用するようにしても良いし、１０分用、５分用および３分用の３つの時計用文字盤１，３０，４０を装着したアナログ時計を併用するようにしても良い。
【００４５】
また、上述の各実施の形態では、１０分用、５分用もしくは３分用の時計用文字盤１，２０，３０，４０とされているが、これらの時間の計測に限定されるものではなく、たとえば、２分間のインターバル領域を２箇所設けて、短針１１が一周する間に４分間の計測を２回行えるような４分計測用の時計用文字盤としても良いし、２分間のインターバル領域を２箇所設けて、短針１１が一周する間に５分間と３分間の計測を行えるような時計用文字盤としても良い。
【００４６】
また、上述の各実施の形態では、スタート地点に数字の「０」を表示してあるが、たとえば、「０」の代わりに、「スタート」や「開始」や「ＧＯ」のようなスタートを意味する文字を表記するようにしても良い。また、「０」などのスタートを意味する文字の表記をしないようにしても良い。また、インターバルの領域には、「おやすみタイム」の表記の代わりに「休憩タイム」や「インターバルタイム」などの表記を行っても良い。さらに、「１」から「１０」までの数字のいずれか１つまたは複数を表示しないようにしても良い。また、「１１」の表示を付加しても良い。
【００４７】
また、インターバルの領域としては、時計を表す数字を付さないことによって、または、「おやすみタイム」の表示を付すことによって、もしくは、他と異なる色を付すことによって、その領域であることを表しているが、その領域ではチャイムを鳴らしたり、短針１１、長針１２のいずれか一方または両者を画像表示とし、その領域ではいずれか一方または両者を表示しないようにしたりしても良い。また、インターバルの領域として、上述した方法のいずれか１つとしたり、複数を組み合わせたものを採用しても良い。
【００４８】
また、上述の各実施の形態では、時計用文字盤１，２０，３０，４０は、分針である短針１１および秒針である長針１２の双方を有するアナログ時計１０に適用されているが、たとえば、時計用文字盤１，２０，３０，４０を、長針１２を有さず、短針１１のみを有するアナログ時計に適用しても良い。また、時計用文字盤１，２０，３０，４０を文字盤が回転する文字盤回転式のアナログ時計に適用しても良い。この場合、時計用文字盤１，２０，３０，４０を、たとえば、短針１１および長針１２の代わりに、その外周部分に時計用文字盤１，２０，３０，４０の位置を特定して時刻を指示する目印が設けられる文字盤回転式のアナログ時計に適用することが可能である。
【００４９】
また、上述の各実施の形態では、時計用文字盤１，２０，３０，４０をストレッチ等の運動時間やサウナ風呂等への入浴時間を計測する場合を例として挙げたが、たとえば、休憩時間や料理の待ち時間を計測する等、各種用途に応じて用いることが可能である。また、上述した時計用文字盤１，２０，３０，４０は、アナログ時計１０に適用されるものとしたが、アナログ時計としては短針１１や長針１２がメカ構造ではなく、デジタル画像で表示されるものとしても良い。このような場合、文字盤は時計表示部となるがこの種のものを含めて時計用文字盤とする。
【符号の説明】
【００５０】
１，２０，３０，４０…時計用文字盤
２…分割点
１０…アナログ時計(時計)
【図１】
0003153250.tif 000003
【図２】
0003153250.tif 000004
【図３】
0003153250.tif 000005
【図４】
0003153250.tif 000006
【図５】
0003153250.tif 000007
【図６】
0003153250.tif 000008